(57)【要約】      （修正有）【課題】変移する中空空間を持つ、ゴルフクラブのアイアンセットを提供する。【解決手段】複数のアイアンタイプのゴルフクラブヘッドを含み、前記クラブヘッド各々が、ロフト角を構成するフロントフェース１０とソール２０とを持ち、前記クラブヘッド各々が、ゴルフクラブセット全体を通して、実質的に一定のソール幅を持つ、ゴルフクラブセットであって、前記クラブヘッドの幾つかが、中空空間４０を有し、前記クラブヘッドの幾つかが、中空空間を持たないことを特徴とする。【選択図】図１
0003145480.tif 000002
【実用新案登録請求の範囲】
【請求項１】
ゴルフクラブセットであって、
複数のアイアンタイプのゴルフクラブヘッドを有し、
前記クラブヘッドの各々が、ロフト角を構成するフロントフェースと、ソールとを備え、前記クラブヘッドの各々が、ゴルフクラブセット全体を通して、実質的に一定のソール幅を有し、
前記クラブヘッドのうちの幾つかが中空空間を有し、
前記クラブヘッドのうちの幾つかは中空空間を有しない、
ゴルフクラブセット。
【請求項２】
前記ソール幅が、前記クラブヘッドのフロントから、前記ゴルフクラブのバックに向かう方向において測定され、前記ソール幅の各々が、約2.54cm(1インチ)よりも大きい、請求項1記載のゴルフクラブセット。
【請求項３】
前記各中空空間が、前記フロントフェースの下方部分と、前記ソールの一部と、リア壁とによって構成され、
前記リア壁と前記ソールとが下方接続部で接し、
前記下方接続部が、前記フロントフェースの下方縁部から所定距離にある、
請求項1記載のゴルフクラブセット。
【請求項４】
前記リア壁が、上方接続部で前記フロントフェースのリア表面と結合され、
前記上方接続部から前記フロントフェースの上方縁までの距離が、前記ゴルフクラブセット全体を通して、実質的に一定である、請求項3記載のゴルフクラブセット。
【請求項５】
前記所定距離が、前記ゴルフクラブセット全体を通して、ロフト角の増大と共に減少する、請求項3記載のゴルフクラブセット。
【請求項６】
前記各中空空間が或る体積を構成し、前記中空空間の体積が全体的にロフト角の増大と共に減少する、請求項1記載のゴルフクラブセット。
【請求項７】
前記各中空空間が或る体積を構成し、少なくとも2つの前記クラブヘッドの体積が同一である、請求項1記載のゴルフクラブセット。
【請求項８】
前記セットが、長距離用クラブと短距離用クラブとを含み、
中空空間を有する前記クラブの幾つかが長距離用クラブを含み、中空空間を持たない前記クラブの幾つかが短距離用クラブを含む、請求項1記載のゴルフクラブセット。
【請求項９】
前記複数のアイアンタイプの各ゴルフクラブヘッドが重心を持ち、該各重心が、前記ソールの底から約2.54cm(1インチ)未満である、請求項1記載のゴルフクラブセット。
【請求項１０】
前記複数のアイアンタイプの各ゴルフクラブヘッドが重心を持ち、該各重心が、前記フロントフェースのうしろ、約1.02cm〜約1.52cm(約0.4インチ〜約0.6 インチ)である、請求項1記載のゴルフクラブセット。
【請求項１１】
前記複数のアイアンタイプの各ゴルフクラブヘッドが、重心と、該重心を通って延びる垂直軸線を中心に測定した或る慣性モーメントとを有し、前記慣性モーメントが約2300g・cm2〜約2900g・cm2である、請求項1記載のゴルフクラブセット。
【請求項１２】
最小のロフト角を持つ、前記ゴルフクラブセット内の第一のゴルフクラブと、最大のロフト角を持つ、前記ゴルフクラブセット内の第二のゴルフクラブとの間の慣性モーメントの差が300g・cm2未満である、請求項11記載のゴルフクラブセット。
【請求項１３】
前記慣性モーメントが全体的にロフト角の増大と共に増加する、請求項11記載のゴルフクラブセット。
【請求項１４】
前記クラブヘッドの少なくとも幾つかが、
前記クラブヘッドのリア部分に設けられた凹部と、
該凹部内に位置決めされたインサートとを有する、
請求項1記載のゴルフクラブセット。
【請求項１５】
凹部を持つ前記クラブの少なくとも幾つかが、前記凹部内にポケットを有する、請求項14記載のゴルフクラブセット。
【請求項１６】
中空空間を有する前記クラブヘッドの少なくとも幾つかが、前記中空空間と隣接する、上方リアキャビティーと、下方リアキャビティーとを有する、請求項1記載のゴルフクラブセット。
【請求項１７】
前記各中空空間が、前記フロントフェースの下方部分と、前記ソールの一部と、リア壁とによって構成され、
該リア壁が、上方接続部で前記フロントフェースのリア表面と結合し、
前記上方接続部から前記フロントフェースの上方縁までの距離が、前記ゴルフクラブセット全体を通して、実質的に一定である、
請求項16項記載のゴルフクラブセット。
【請求項１８】
下方リアキャビティーを持つ前記クラブヘッドが、前記下方リアキャビティー内に複合インサートを有する、請求項16項記載のゴルフクラブセット。
【請求項１９】
前記各クラブヘッドがバックを有し、該バックが複合材料を有する、請求項1記載のゴルフクラブセット。
【請求項２０】
前記各中空空間が、前記フロントフェースの下方部分と、前記ソールの一部と、リア壁とによって構成され、
前記リア壁と前記ソールとが下方接続部で接し、
前記下方接続部が前記フロントフェースの下方縁部から所定距離にあり、
前記リア壁が、内壁を備えた金属材料と、前記内壁と結合された前記複合材料を含むインサートとを有する、請求項19記載のゴルフクラブセット。
【請求項２１】
前記内壁が棚部を含み、その上に前記インサートの一部が係止している、請求項20記載のゴルフクラブセット。
【請求項２２】
前記中空空間を持たない前記クラブヘッドのうちの少なくとも幾つかが減衰体を含む、請求項19記載のゴルフクラブセット。
【請求項２３】
前記バックが凹部を備え、前記減衰体が前記凹部内に位置決めされている、請求項22記載のゴルフクラブセット。
【請求項２４】
前記減衰体が、前記凹部の内側表面と前記複合材との中間にある、請求項23記載のゴルフクラブセット。
【請求項２５】
前記中空空間を持たないクラブの前記バックが凹部を備え、前記複合材料で作られたインサートが前記凹部内に位置決めされている、請求項19記載のゴルフクラブセット。
【請求項２６】
フェースと、ソールと、バックとを備える本体を有し、
前記バックが複合材料を含み、
前記フェースが、トップラインとリーディングエッヂとの間に延び、
前記バックが、
前記ソールと
前記トップラインと前記リーディングエッヂとの間の前記フェースのリア表面と
の間に延び、中空空間を構成する、
ゴルフクラブヘッド。
【請求項２７】
前記バックが前記ソールの最後部から延びる、請求項26記載のゴルフクラブヘッド。
【請求項２８】
前記バックが、
内壁を備えた金属材料と、
前記内壁と結合された前記複合材料を備えたインサートとを有する、
請求項26記載のゴルフクラブヘッド。
【請求項２９】
前記内壁が、前記インサートの一部が載る棚部を備える、請求項28記載のゴルフクラブヘッド。
【請求項３０】
前記インサートが前記棚部と結合された、請求項29記載のゴルフクラブヘッド。
【請求項３１】
前記金属材料を貫通する穴が設けられ、前記インサートが前記穴を覆う、請求項28記載のゴルフクラブヘッド。
【請求項３２】
前記複合材料が、炭素繊維、グラファイト、繊維強化樹脂、熱可塑性樹脂、熱硬化性樹脂の１つ又は２つ以上、または、これらの組合せを含む、請求項26記載のゴルフクラブヘッド。
【請求項３３】
前記フェースが溝を備えたインサートを有する、請求項26記載のゴルフクラブヘッド。
【請求項３４】
前記ゴルフクラブヘッドがアイアンタイプのゴルフクラブヘッドである、請求項26記載のゴルフクラブヘッド。
【考案の詳細な説明】
【技術分野】
【０００１】
本考案は、ゴルフクラブに関し、特に、変位する中空空間を備える、ゴルフクラブのアイアンセットに関するものである。
【背景技術】
【０００２】
アイアンタイプのゴルフクラブは、一般にフロントフェース、すなわち、打球フェースと、トップラインと、ソールとを備える。このフロントフェースはゴルフボールと接触し、これをヒットする。多数のスコアライン又はグルーブがフェースに設けられ、ボールにスピンを付与するのに役立つ。トップラインは、一般にゴルファーに対して特定の外観を有し、ウエイトを付与するように、形作られている。ゴルフクラブのソールは、ゴルフのショットにとって特に重要である、というのは、これが、スイング中に地面と接触し、相互作用するからである。
アイアンタイプゴルフクラブの従来のセットにおいて、各クラブはシャフトを備え、シャフトの一端はクラブヘッドと結合され、他端はグリップに結合されている。クラブヘッドは、ゴルフボールをヒットするためのフェースを備える。このフェースと垂直面との間の角度はロフト角と呼ばれている。
【０００３】
このアイアンセットは、一般に2番〜9番と呼ばれるアイアンと、ピッチングウエッジとを含む。他のウエッジ、例えばロブウエッジ、ギャップウエッジおよびサンドウエッジも、場合によりこのセットに含められる。各アイアンは、通常、ロングアイアンからショートアイアンへと、各クラブヘッドのロフトが高くなるに従って、該セットを通じて減少するシャフト長さを持つ。クラブの長さは、クラブヘッドのロフト、重心位置と共に、インパクト時のボールの打ち出し状態に対する種々の性能特性を与え、ボール飛距離を決定付ける。飛距離は、一般的に、ロフト角の減少、クラブ長さの増大により、増大する。しかし、使用の難しさは、ロフト角の減少、クラブ長さの増大により高まってしまう。
【０００４】
アイアンタイプのゴルフクラブは、一般に2つのカテゴリー、すなわち、ブレード(blades)タイプとキャビティーバック(cavity backs)タイプとに分けられる。ブレードタイプは伝統的なクラブであり、ソールからトップラインに至るまで、実質的に均一な外観を持つけれども、ソールからトップラインまでテーパするものもある。
【０００５】
ブレードデザインはスイートスポット(即ち、ゴルフボールをヒットした際に所定のゴルフショットをもたらすフェースの領域)が小さいので、その使用は比較的難しく、その結果、典型的には熟練ゴルファーのみによってしか使用されない。しかし、これらのクラブは、他のデザインよりもより長距離のゴルフショットをもたらすという利点を有している。更に、これらデザインは、典型的に比較的軟質の鍛造鋼で作られているので、ゴルファーが、その望み通りにゴルフボールを操作し、ゴルフショットを工夫することを可能とする。
【０００６】
キャビティーバックタイプは現代的な設計であり、打撃フェースと反対側の、クラブのバック部分に、中空部分又はキャビティーを設けることによって、クラブ質量の幾らかを周囲部に移動させる。これは、より大きなスウィートスポットを持つ、より許容度の高いクラブをもたらす。ウエイトを周囲部に移すことによって、クラブフェースのサイズを拡大することが可能となり、このことはまた、より一層大きなスウィートスポットをもたらす。キャビティーによって作り出された周囲部のウエイトは、クラブの慣性モーメントをまた高める。この慣性モーメントは、クラブのトルク、例えばオフセンターヒットによって生じるトルクに対する抵抗の程度、或いは、度合いである。これらクラブは、ブレードタイプよりも打撃し易く、その結果、熟練度の低いゴルファーや、ビギナーゴルファーによる使用が可能である。
【考案の開示】
【課題を解決するための手段】
【０００７】
本考案は、クラブヘッドのうちの幾つかが中空空間を持ち、クラブヘッドのうちの幾つかが中空空間を持たない、アイアンゴルフクラブセットに関する。中空空間は、フロントフェースの下方部分と、ソールの一部と、リア壁とによって構成されるのが好ましい。中空空間は、全体的にクラブのロフト角の増加と共に変移する、すなわち、順次小さくなる。この中空空間は、空であるか、あるいは少なくとも部分的に、例えばフォームで満たされていても良い。接着剤を、この中空空間に配置することも可能である。
前記フロントフェースのバック部分は、上方リアキャビティーを含むことができる。前記クラブヘッドのバックは、下方リアキャビティーを含むことができる。前記下方リアキャビティーは、前記クラブの中でリア壁を持つものについては、前記リア壁内に、あるいは前記クラブの中でリア壁を持たないものについては、前記フロントフェースのリア表面内に設けることができる。これらキャビティーは、開放状態のままであってもよく、あるいはその中にインサートを満たすことも可能である。
【０００８】
前記フロントフェースのリーディングエッヂを通る垂直面と共に、前記フロントフェースは、前記クラブのロフト角を構成する。前記ソールは、このリーディングエッヂ部において、前記フロントフェースと結合している。好ましくは、前記クラブヘッドのフロント部から前記クラブヘッドのバックに向かう方向において測定した、前記ソールの幅は、このクラブセット全体を通じて実質的に一定である。前記リア壁は、下方接続部において前記ソールと、また上方接続部において前記フロントフェースのリア表面と結合している。前記下方接続部は、好ましくは前記リーディングエッヂと、前記ゴルフクラブの後縁との間にある。前記下方接続部は、前記フロントフェースの下方縁部から所定距離にある。この所定距離は、ロフト角の増加と共に、前記クラブセット全体を通して減少するのが好ましい。
【０００９】
前記各中空空間は、ある体積を構成し、前記中空空間の体積は全体的にロフト角の増加と共に減少する。場合により、少なくとも2つの前記クラブヘッドの前記体積は、実質的に同一である。
【００１０】
このクラブセットは、長距離用のクラブと、短距離用のクラブとを含んでいる。これらクラブの中で中空空間を持つものは、長距離用のクラブを含み、またこれらクラブの中で中空空間を持たないものは、短距離用のクラブを包含する。あるいはまた、これらクラブの中で中空空間を持つものは、長距離用クラブであり、これらクラブの中で中空空間を持たないものは、短距離用クラブである。即ち、長距離用クラブのみが、中空空間を持つ。
【００１１】
前記クラブヘッド各々は、重心を持つ。各重心は、好ましくは前記ソールの底部から約2.54 cm(1 インチ)未満の位置にあり、またより好ましくは各重心は、前記ソールの底部から約2.03 cm(0.8インチ)未満である。各重心は、フロントフェースうしろ約1.02cm〜約1.52cm(約0.4インチ〜約0.6インチ)であるのが好ましく、各重心はフロントフェースうしろ約1.27cm(0.5インチ)であるのがより好ましい。各クラブヘッドは重心を通る垂直軸線を中心に測定した慣性モーメントを持ち、該慣性モーメントは約2300g・cm2〜約2900g・cm2である。これら慣性モーメントは全体的にロフト角の増大と共に高くなる。
【考案を実施するための最良の形態】
【００１２】
以下、本考案を、添付図を参照しつつ説明する。前記添付図において、類似する参照番号は同様な要素を表す。
実施例における以外、または特に述べない限り、あらゆる数値範囲、量、値および百分率、例えば材料の量、慣性モーメント、重心の位置、ロフト角、および本明細書の以下の部分における他の物は、「約」なる用語が、値、量または範囲に表現上現れない場合においてさえ、「約」なる用語が先行するものとして読むべきである。従って、逆に指定されていない場合には、以下の本明細書および添付した実用新案登録請求の範囲に示された数値パラメータは、本考案により得られたと考えられる所定の性質に依存して変動する可能性のある、近似値である。少なくとも、および実用新案登録請求の範囲に等価な教義の適用範囲を限定する意図なしに、各数値パラメータは、少なくとも、報告された有意な数値の値に照らして、また通常の切り上げ、切捨て技術の適用によって、解釈されるべきである。
【００１３】
本考案の広義の範囲を示す数値範囲およびパラメータが、近似値であるにも拘らず、特定の実施例に示された数値は、できる限り正確であるように報告されている。しかしながら、あらゆる数値は、必然的に、各テスト測定に見られる標準偏差に起因する、ある程度の誤差を、元々含んでいる。更に、変動する範囲を含む数値範囲が、ここに示された場合には、表示された数値を含む、これら数値のあらゆる組合せが、使用可能であることを意図している。
【００１４】
ゴルフクラブセットは、典型的に2番〜9番と呼ばれるアイアンおよびピッチングウエッジを含む。他のセット、例えば女性用のゴルフクラブセットは、典型的に4番乃至9番と呼ばれるアイアン、およびピッチングウエッジを含む。これらクラブのロフト角は、この番手が大きくなるのに伴って、大きくなる。例えば、2番アイアンは、5番アイアンよりも小さなロフト角を持ち、また5番アイアンは、ピッチングウエッジよりも小さなロフト角を持つ。一般に、使用の難しさは、このロフト角の増大に伴って、高くなる。即ち、2番アイアンは、5番アイアンよりもボールを打つことが難しく、また5番アイアンは、ピッチングウエッジよりもボールを打つことが難しい。
【００１５】
より長いアイアン(即ち、より小さなロフト角を持つアイアン)は、一般により小さなスウィートスポットを持つために、ボールを打つことが難しい。即ち、より大きなスウィートスポットを持つアイアンを作ることが望ましい。
本考案は、各クラブについて個々に、スウィートスポットのサイズを釣り合わせた、ゴルフクラブセットを提供することにある。これは、ボールを打つことがより難しいクラブ(長距離用のクラブ)に関するスウィートスポットを大きくし、ボールを打つことがより容易なクラブ(短距離用のクラブ)に関する、より小さなスウィートスポットを維持することによって達成される。このクラブセットは、複数のアイアンタイプのゴルフクラブヘッドを含み、そのクラブヘッドの幾つかは、中空空間を含み、前記クラブヘッドの幾つかは、中空空間を含まない。これら中空空間の体積は、一般に変移し、即ち前記クラブのロフト角における増加に伴って、徐々に小さくなる。この中空空間の存在は、前記クラブヘッドの重心を後方(前記フェースから離れた位置)、下方(前記ソールに向、て)に移動させ、ゴルフボールの空中浮揚を容易にする。この中空空間は、好ましくは異なるクラブに対して、異なる変更量を付与するために変えられる。
【００１６】
図1は、本考案のゴルフクラブセットの、第一の代表的なクラブ1の断面図である。このクラブ1は、アイアンタイプのクラブであり、フロントフェース10と、ソール20と、リア壁30とを備える。フロントフェース10は、そのリーディングエッヂ12を通る垂直面と共に、このクラブのロフト角αを構成する。ソール20は、リーディングエッヂ12でフロントフェース10と結合される。ソール20の幅は、このクラブセット全体を通じて実質的に一定であるのが好ましく、このソール20の幅はクラブヘッド1のフロントからそのバックに向かう方向において測定された。リア壁30は、下方接続部22でソール20と結合され、上方接続部32でフロントフェース10のリア表面14と結合される。下方接続部22は、クラブヘッド1のトレーリングエッヂ24とリーディングエッヂ部22との間にあるのが好ましい。
【００１７】
クラブ1は、このクラブセットのより長いクラブの一つであり、従ってこれは中空空間40を含んでいる。この中空空間40は、フロントフェース10の下方部分と、ソール20の一部と、リア壁30とによって構成される。(リア壁30は、中空空間40を含むクラブにおいてのみ存在する。)中空空間40は、クラブヘッドの重心を後方、下方に移動させ、スウィートスポットを拡大する。この中空空間の体積が大きい程、クラブ重心の位置に及ぼす作用が大きくなる。これらクラブでは、ロフト角の増大に伴って、順次ボールを打つことが容易となるので、その重心を順次移す必要性は、そのロフト角の増大と共に低くなる。従って、これらの中空空間40の体積は、全体的に変移し、クラブのロフト角の増大と共に順次小さくなる。中空空間40は、空であっても、また少なくとも部分的に、例えばフォームで満たされていても良い。また、接着剤を、中空空間40内に配置して、前記空間内に存在し、前記クラブの使用者を混乱させる恐れのある、あらゆる異物を、移動しないようにすることも可能である。
【００１８】
クラブヘッドの重心を下げるための追加の手段として、フロントフェース10はテーパされ、底部に向って厚くされ、頂部に向かって薄くされるのが好ましい。同様に、ソール20の厚み及び重さを重心の位置に更に影響を与えるように操作することもできる。
【００１９】
中空空間40はまた、クラブヘッドの慣性モーメント(MOI)に影響を与える。慣性とは、何らかの外力が作用しない場合には、物体が静止状態を維持し、あるいは均一な運動状態を維持するという、物質の特性である。MOIは、所定軸線を中心とする角加速度に対する物体(クラブ本体)の抵抗の程度、或いは、度合いであり、かかる物体内の各質量要素と、該要素の軸線からの距離の二乗との積の総和に等しい。従って、前記軸線からの距離が大きくなるにつれ、このMOIも大きくなる。
【００２０】
中空空間40はまた、クラブの重さをクラブヘッドの周囲部に向けて外方に移動させる。この周囲部の重量付加はクラブのMOIを大きくし、結果的にオフセンターヒットに対する許容度を高める。
【００２１】
フロントフェース10のバックは、上方リアキャビティー16を含むことができる。クラブヘッド1のバックは、下方リアキャビティー34を含むことができる。下方リアキャビティー34は、リア壁30を持つクラブについては、このリア壁30内に、あるいはリア壁30を持たないクラブについては、フロントフェース10のリア表面内に設けることができる。これらのリアキャビティー16、34は、クラブヘッドの質量を更にクラブヘッドの周囲部に分布させ、クラブのスウィートスポットを拡大するように作用し、ゴルフスイングを更に容易にし、よりソフトな感触(打感、フィーリング)を持つ、より寛容度の高いクラブヘッドを提供する。これらキャビティーは、開放された状態のままであっても良いし、その内部にインサートを詰めても良い。意図しているインサートは、ウエイトインサートや、複合インサートを含む。複合材料は、マトリックス材料と組み合わせた、様々な樹脂、例えばガラス繊維、グラファイト、またはセラミックスマトリックス等と組み合わせた、熱可塑性または熱硬化性樹脂を含むことができる。ロゴをこのインサート上に配置するのが好ましい。図2は、本考案のゴルフクラブセットの第二の代表的なクラブ2の断面図である。このクラブ2は、このセットのより短いクラブの一つであり、従ってこれは中空空間を含まない。インサート50は、下方リアキャビティー34内に配置される。
【００２２】
各クラブの重心はソール20の底部から約2.54cm(1インチ)未満が好ましく、各クラブの重心はソール20の底部から約2.03 cm(0.8 インチ)未満であるのがより好ましい。各クラブの重心は、フロントフェース10のうしろ約1.02〜約1.52cm(約0.4〜約0.6インチ)が好ましく、各クラブの重心はフロントフェース10のうしろ約1.27cm(約0.5インチ)がより好ましい。各クラブに関する慣性モーメントは、約2300g・cm2〜約2900g・cm2であるのが好ましい。この慣性モーメントはロフト角の増大と共に増大するのが好ましい。
【００２３】
中空空間は、中実部分や膨張ブラダ(inflatable bladder)のようなデバイスの回りでクラブヘッドシェルを鋳造し、次いでソール20の穴からデバイスをとの除くことにより作ることができる。次に、ソールインサートを、例えば溶接によりこのクラブヘッドシェルと結合して、中空空間40を封止する。このソールインサート材料は、クラブヘッド1の他の材料よりも比較的高い密度を持つものであって、結果的に更にクラブヘッドの重心を下げ、スウィートスポットを拡大する。このソールインサートは、鍛造や鋳造等のあらゆる適当な製法により作ることができる。このクラブヘッドシェル用に意図した材料は、ステンレススチールを含み、またソールインサート用に意図した材料は、ステンレススチール、タングステン合金を含む。
【実施例】
【００２４】
本考案のこれらのおよび他の局面は以下の非-限定的な例を参照することにより、一層十分に理解することができるが、これら実施例は、本考案のゴルフクラブセットの、好ましい態様を単に例示するものであり、本考案を何等限定するものと理解すべきではなく、本考案の範囲は、添付した実用新案登録請求の範囲およびその等価な範囲により構成される。
【００２５】
実施例1
図3は、本考案のゴルフクラブセットの、複数のアイアンタイプのゴルフクラブヘッド各々の断面図を示すものである。ロフト角αは2-アイアンからピッチングウエッジへと増大する。これらクラブヘッドの幾つかは、中空空間40を有し、また前記クラブヘッドの幾つかは、中空空間40を持たない。前記例示した態様において、中空空間40を含むクラブは、2-アイアン、3-アイアン、4-アイアン、5-アイアン、6-アイアンおよび7-アイアンであり、またピッチングウエッジは、中空空間40を持たない。
【００２６】
図4は、図3に示したクラブセットの、代表的な中空クラブの断面図である。幾つかの寸法が、図4に示されている。これら寸法の例示的、非-限定的な値を、以下の表1に与える。
【００２７】
【表１】
0003145480.tif 000003
【００２８】
この例示した態様において、中空空間40の体積は、ロフト角αを減じることによって、またリア壁30の位置および配向を変えることにより、変更される。典型的なロフト角の値を、以下の表2に与える。ソール20の幅(寸法C)および上方接続部32から前記クラブヘッドの上部までの距離(寸法A)は、このクラブセット全体を通じて実質的に一定である。ここで使用する、実質的に一定なる用語は、ソールの幅が、全体として相互に約0.254 cm(0.1 インチ)以内にあることを意味し、またこのセットの隣接するクラブ間のソール幅が、1.27 mm(0.05 インチ)を越えて変動しないことを意味する。リーディングエッヂ12から前記リア壁-ソール接続部22までの距離は、2-アイアンから7-アイアンまで、あるいはロフト角の増加に伴って徐々に減少する。
【００２９】
【表２】
0003145480.tif 000004
【００３０】
上記の寸法は、前記重心の位置および慣性モーメントを変更する。これは、ロングアイアンでボールを打つことを容易にし、しかも得られるゴルフショットの飛距離を維持する。前記重心の位置および慣性モーメントを、以下の表3に与える。前記慣性モーメントは、前記重心を通る垂直軸線に関するものである。これらの軸は、以下のような配向状態にある。その原点は、リーディングエッヂ12のトウ側の端部にあり、x-軸は紙面に対して垂直であり、そのy-軸は垂直であり、そのz-軸は水平である。
【００３１】
【表３】
0003145480.tif 000005
【００３２】
表3において、CGxは前記重心のx-座標であり、CGyは前記重心のy-座標であり、CGzは前記重心のz-座標であり、またIyyはy-軸に関する慣性モーメントである。これら座標の単位はcm(インチ)であり、また慣性モーメントの単位は、g・cm2である。
【００３３】
実施例2
図5は、本考案のゴルフクラブセットの第二の代表的な中空クラブヘッド3の断面図であり、および図6は、本考案のゴルフクラブセットの第二の代表的な中実クラブヘッド4の断面図である。これらクラブヘッド3および4各々は、凹部60およびその中に配置されたインサート70を含む。このインサート70は、あらゆる所定の形状、および好ましくはメダリオン形状をとることができる。メダリオンは、ブランドおよびモデル情報を提供するのに有用である。インサート70は、同時成型したプラスチック等のプラスチックまたはステンレススチール等の金属、あるいは任意の他の適当な材料または複合体で作ることができる。このインサートは、前記クラブヘッド重心の位置を更に操作するのに利用することができる。凹部60およびインサート70は、嵌合式に結合するように構成されており、従ってインサート70の外側表面は、前記クラブヘッドの外側表面と一致し、この表面と事実上シームレスの推移をもたらす。
【００３４】
このクラブセットにおける前記中空のゴルフクラブヘッド全てが、凹部60およびインサート70を含むことができ、あるいはこのセットにおける前記中空のゴルフクラブヘッドの一部のみが、これらを備えることができる。好ましくは、少なくとも2-アイアン乃至5-アイアンが、凹部60およびインサート70を含む。
前記中空クラブヘッド3と関連して、凹部60は、前記リア壁30内に設けられている。凹部60は、その中に開口62を含むことができ、あるいはこれは中実であっても良い。開口62が設けられている場合、これはインサート70によって覆われており、中空空間40を生成する。
【００３５】
このクラブセットにおける前記中実ゴルフクラブヘッドの全ては、凹部60およびインサート70を含むことができ、あるいはこのセットにおける前記中実ゴルフクラブヘッドの一部のみが、これらを備えることができる。好ましくは、少なくともこのセットに含まれる幾つかのウエッジは、凹部60およびインサート70を含む。
【００３６】
中実クラブヘッド4と関連して、凹部60は、クラブヘッド4のリア表面64内に設けられる。場合により、ポケット66を、凹部60内に設けることができる。このポケット66は、材料を除去して、クラブヘッド4の重量を減じる。クラブヘッド4の幾つかまたはその全てが、ポケット66を含むことによって、インサート70を含めたことによる重みの付加を、相殺することができる。このように、(例えば)同等なメダリオンを、各クラブヘッド4と共に使用して、各クラブヘッドに対する、慣習的なメダリオンの必要性を排除することができる。ポケット66の体積および形状は、同様にこれらクラブヘッドの中で変えることができる。
【００３７】
実施例3
図7は、本考案のゴルフクラブセットの代表的な第三の中空クラブヘッド5の断面図を示し、図8は、本考案のゴルフクラブセットの代表的な第三の中実クラブヘッド6の断面図を示す。これらのクラブヘッド5、6の各々は、フェース82と、ソール84と、バック86とを備えた本体80を有する。フェース82は、これらクラブヘッド５、６に関するロフト角を構成し、バック86は複合材料を含む。フェース82及び／又はソール84は、本体80と一体であっても良いし、本体80に連結された、インサートのような別々の本体(パーツ)であっても良い。このことは、クラブヘッド5、6の異なる部分に対して、異なる材料の使用を可能とする。例えば、本体80は、特定のゴルファーの要求に合うように、注文製作することができるので、これを、好ましくは鋼で作ることができ、またフェース82は、反復的なゴルフボールの衝撃を受けるので、好ましくはチタンで作ることができる。適当な複合材料は、例えばマトリックス材料、例えばグラファイトと組み合わせた様々な樹脂、または少なくとも部分的に炭素、ガラス繊維、またはセラミックで作られた繊維と組み合わせた、熱可塑性または熱硬化性材料を含む。これら例示的な材料の組合せも、使用可能である。
【００３８】
中空クラブヘッド5に関連して、バック86は、クラブヘッドのトップライン88およびリーディングエッヂ89間にあるフェース82のリア表面83と、ソール84との間に延びていて、中空空間40を構成している。好ましくは、バック86は、ソール84の最も後方部分から延びているが、バック86の背後に幾分かのソールのオーバーハングがあってもよい。バック86は、好ましくは本体80と共に一体式に製造できる金属材料を含む。バック86の金属材料は、バック86を貫通し、中空空間40に至る穴を構成する、内部壁85を含むことができる。この複合材料は、内部壁85と結合したインサート90として与えることができ、結果的にインサート90は、この穴を覆うことになる。内部壁85は、インサート90の一部が載る棚部87を備えることができる。棚部87は、インサート90の支持を助ける。インサート90は、棚部87と結合していても、結合していなくても良い。
【００３９】
バック86における本体材料の除去は、必然的に、前記クラブヘッドの重量を、その周辺の方向に再配置し、更に前記クラブのMOIを大きくし、よりソフトな感触を持つ、より寛容度の高いクラブをもたらす。複合インサート90は、この質量の再分配を乱すことは無い。というのは、前記複合材料は、密度が低いからである。インサート90は、ゴルフボールによる衝撃を受ける際に、フェース82を支持する。
【００４０】
中実クラブヘッド6に関連して、バック86は、凹部95を含んでいて、更に周囲部への重量付加をもたらし、前記クラブの競技性および許容度を高める。複合インサート90は、この凹部95内に配置できる。複合インサート90の使用は、このクラブセットのアイアン型クラブ全体の一様な外観を与える。このインサート90はまた、ダンパー、すなわち、減衰体92と組み合わせて使用して、このゴルフクラブの使用中に発生するあらゆる振動を減衰し、更に前記ゴルフクラブの競技性および感触を高めることを可能とする。弾性材料で作ることのできる、減衰体92は、好ましくは凹部95の内部表面と複合インサート90との中間にある。この配置は、減衰体が望ましくない振動を減衰し、依然としてソリッド感を持つクラブを提供する。
【００４１】
以上、本考案の好ましい態様を説明してきたが、これらは、例示のみの目的で与えられるものであり、限定的な意味で与えられるものではないものと理解すべきである。当業者は、本考案の精神並びに範囲を逸脱することなしに、これらに、形状および細部における様々な変更を加えることが可能であることを理解するであろう。従って、本考案は、上記の例示的な態様によって、限定されるべきではなく、上記の実用新案登録請求の範囲およびその等価物によってのみ構成されるべきである。
【図面の簡単な説明】
【００４２】
【図１】本考案のゴルフクラブセットの、第一の代表的なクラブの断面図である。
【図２】本考案のゴルフクラブセットの、第二の代表的なクラブの断面図である。
【図３】本考案のゴルフクラブセットの、複数のアイアンタイプのゴルフクラブヘッドの各々の断面図である。
【図４】図3に示したゴルフクラブセットの、代表的な中空クラブの断面図である。
【図５】本考案によるゴルフクラブセットの、第二の代表的な中空クラブヘッドの断面図である。
【図６】本考案のゴルフクラブセットの、第二の代表的な中実クラブヘッドの、断面図である。
【図７】本考案のゴルフクラブセットの、第三の代表的な中空クラブヘッドの断面図である。
【図８】本考案のゴルフクラブセットの、第三の代表的な中実クラブヘッドの、断面図である。
【図１】
0003145480.tif 000006
【図２】
0003145480.tif 000007
【図３】
0003145480.tif 000008
【図４】
0003145480.tif 000009
【図５】
0003145480.tif 000010
【図６】
0003145480.tif 000011
【図７】
0003145480.tif 000012
【図８】
0003145480.tif 000013